【事件の表示】
　平成１１年特許願第２５８７２８号「印字装置」拒絶査定不服審判事件〔平成１３年　３月２７日出願公開、特開２００１−　８０１２２〕について、次のとおり審決する。
【結　論】
　本件審判の請求は、成り立たない。
【理　由】
１　手続の経緯・本願発明
（１）手続の経緯
　本願は、平成１１年９月１３日の出願であって、平成１５年３月２０日、平成１８年７月２１日及び平成１９年２月２日に手続補正がなされ、平成１９年４月２６日付けで拒絶査定がなされ、これに対し、同年５月３１日に拒絶査定不服審判が請求されるとともに、同日に手続補正がなされ、当審において、平成２１年１１月２６日付けで拒絶の理由（以下「当審拒絶理由」という。）が通知されたものである。
　なお、請求人は、平成２２年１月２７日に意見書を提出している。
　
（２）本願発明
　本願の請求項に係る発明は、平成１９年５月３１日付け手続補正後の明細書及び図面の記載からみて、その特許請求の範囲の請求項１ないし４に記載された事項により特定されるとおりのものと認められるところ、請求項１に係る発明は次のものである。 
　
「１列に配置された複数のプリントヘッドを用いて１つの用紙上に重ねて印字を行なう印字装置において、
　画像データを格納するビットマップメモリと、
　プリントヘッドの間の相対的な傾き量に基づいて、画像データをビットマップ上で処理することによりライン単位で副走査方向に補正する第１補正手段と、
　第１補正手段により補正がされた画像データを、前記プリントヘッドの出力タイミングを制御することにより、１ラインより小さい単位で副走査方向に補正する第２補正手段とを備え、
　前記第２補正手段は、
　前記ビットマップメモリから読み出された画像データを１ライン単位で遅延させるラインバッファと、
　前記プリントヘッドへ出力するべく、前記ビットマップメモリから読み出された画像データと前記ラインバッファの画像データとを選択的に切り換えるセレクタと、
　プリントヘッドの間の相対的な傾きについての補正情報に基づいて前記セレクタを作動させる制御部と
　を備えたことを特徴とする印字装置。」（以下「本願発明」という。）
　
２　刊行物の記載事項
　当審拒絶理由で引用した「本願の出願前に頒布された刊行物である特開平１０−３１５５４５号公報（以下「引用例」という。）」には、図とともに次の事項が記載されている。（下線は審決で付した。）
　
（１）「【００３２】
…（略）…
１．第１実施例の装置の構造
図２は本発明になる
画像形成装置
装置本体１０の内部には記録媒体例えば記録用紙を搬送させるための搬送ベルトユニット１１が設けられ、搬送ベルトユニット１１には過透性の誘電体材料、例えば適当な合成樹脂材料から作られた無端ベルト１２を回動自在に備える
着脱自在に装着され
…（略）…
【００３６】
装置本体１０内にはＹ，Ｍ，Ｃ，Ｋの４台の静電記録ユニット２４−１，２４−２，２４−３，２４−４が設けられ、無端ベルト１２の従動ローラ２２−２と駆動ローラ２２−１との間に規定されるベルト上側の記録紙移動経路に沿って、上流から下流側に向かってＹ，Ｍ，Ｃ，Ｋの順番に直列に配置されたタンデム構造を有する
【００３７】静電記録ユニット２４−１〜２４−４は、現像剤としてイエロートナー成分（Ｙ）、マゼンタトナー成分（Ｍ）、シアントナー成分（Ｃ）、及びブラックトナー成分（Ｂ）を使用する点が相違し、それ以外の構造は同じである。このため静電記録ユニット２４−１〜２４−４は、
無端ベルト１２の上側の記録紙移動経路に沿って移動する記録紙上にイエロートナー像、マゼンタトナー像、シアントナー像及びブラックトナー像を順次重ねて転写記録し、フルカラーのトナー像を形成する
【００３８】図３は図２の静電記録ユニット２４−１〜２４−４の１つを取り出して示す断面図である。
静電記録ユニット２４は感光ドラム３２を備え
前帯電器３４
前帯電器３４により感光ドラム３２の回転表面は一様な電荷で帯電される
【００３９】感光ドラム３２の帯電領域には
光学書込ユニットとして機能するＬＥＤアレイ３６が配置され、
ＬＥＤアレイ３６の主走査方向に配列された発光素子は、コンピュータやワードプロセッサ等から印刷情報として提供される画像データから展開した画素データ（ドットデータ）の階調値に基づいて駆動され、このため静電潜像はドットイメージとして書き込まれる
…（略）…
【００４６】…（略）…
２．ハードウェア構成と機能
図５は本実施例における画像形成装置のハードウェア構成を示すブロック図である。本実施例のハードウェアは、
エンジン部６０とコントローラ部６２で構成され
静電記録ユニット２４−１〜２４−４等の印刷機構部の制御動作を行うメカニカルコントローラ６４が設けられ
…（略）…
【００４９】コントローラ部６２の
コントロール用ＭＰＵ７２
パーソナルコンピュータ９２から転送されたＹ，Ｍ，Ｃ，Ｋの各画像データを画素データ（ドットデータ）に展開して格納する画像メモリ８２−１，８２−２，８２−３，８２−４が設けられる
【００５０】コントローラＭＰＵ７２は、
画像メモリ８２−１〜８２−４に各カラー画素データを展開する際に、アドレス指定を行うためアドレス指定部８４を備える。アドレス指定部８４に続いては、アドレス変換部８６が設けられ
アドレス変換部８６は、
エンジン部６０側から提供された位置ずれ情報に基づき、位置ずれ補正のためのアドレス変換を行
【００５１】画像メモリ８２−１〜８２−４に続いては
解像度変換部８８が設けられ
解像度変換部８８にはＹ，Ｍ，Ｃ，Ｋに対応してバッファメモリ９０−１，９０−２，９０−３，９０−４が設けられてい
読み出した位置ずれ補正済みの画素データをＬＥＤアレイ３６−１〜３６−４における副走査方向（用紙搬送方向）で分解して２つの高分解能画素データに変換す
【００５２】例えば、画像メモリ８２−１〜８２−４で展開された際の分解能が主走査方向６００ｄｐｉ、副走査方向６００ｄｐｉであったとすると、解像度変換部８０において主走査方向は６００ｄｐｉであるが、副走査方向については１２００ｄｐｉの高解像度画素データに変換される。
この副走査方向で２倍となる高解像度画素データへの変換により、エンジン部６０で走査線が斜めとなったときの位置ずれ補正における印字精度を高める
…（略）…
【００５５】図７は図５のコントローラ部６０に設けた解像度変換部８８を示すブロック図である。解像度変換部８８にはＹ，Ｍ，Ｃ，Ｋごとに図示のようにバッファメモリ９０、インタフェース部１１０、アドレス指定部１１２及び変換制御部１１４が設けられる。インタフェース部１１０には、図５の画像メモリ８２−１〜８２−４側からの位置ずれ補正済みの画素データが入力される。
【００５６】変換制御部１１４には、図５のコントローラ部６２に設けたインタフェース処理部７８を経由して、エンジン部６０側で検出された位置ずれ情報に基づく位置ずれ補正データが供給される。バッファメモリ９０は、エンジン部６０におけるＬＥＤアレイ３６−１〜３６−４の用紙搬送方向に直交する方向を主走査方向ｘ、用紙搬送方向を副走査方向ｙとすると、副走査方向ｙの１画素を２つに分解して２画素とした高分解能画素データに変換する。
【００５７】このバッファメモリ９０上に対する解像度変換により、
例えば主走査方向ｘが６００ｄｐｉ、副走査方向ｙが同じく６００ｄｐｉであった画素データは、
副走査方向ｙについては２倍の１２００ｄｐｉの高解像度に変換される。バッファメモリ９０から１画素を分解した２つの高解像度画素データを読み出して第１スキャンライン目と第２スキャンライン目の時分割発光による書込記録が行われる
【００５８】この解像度変換部８８における高解像度画素データへの変換と、高解像度画素データを用いたエンジン部６０における記録書込みの詳細は、後の説明で更に明らかにされる。図８は図５のハードウェア構成で実現される本実施例における画像形成装置の機能ブロック図である。図８において本実施例における画像形成装置は、位置ずれ検出部１１６と位置ずれ補正部１２４の２つの機能を基本的に有する。位置ずれ検出部１１６としての機能は、図５のエンジン部６０に設けたセンサ処理用ＭＰＵ６０で実現される。また位置ずれ補正部１２４としての機能は、図５のコントローラ部６２に設けたＭＰＵ７２により実現される。
…（略）…
【００６２】位置ずれ演算部１２０で求める
位置ずれ情報としては、Ｋの主走査方向の走査線を基準とした対象画像の主走査方向の走査線の始端位置における主走査方向のずれ量Δｘ、同じく始端位置における副走査方向のずれ量Δｙ、走査線終端における傾きを示す副走査方向の変移量（スキュー量）Δｚ、及びＫ主方向走査線の基準幅Ｌに対する対象走査線の検出幅Ｌの倍率Ｋ（＝Ｌ／Ｌ０）であ
【００６３】このように位置ずれ演算部１２０で算出された位置ずれ情報は、位置ずれ情報格納部１２２に格納される。位置ずれ情報格納部１２２に格納される位置ずれ情報はＫを基準としていることから、Ｋの位置ずれ情報は全て０であり、従ってＫの位置ずれ情報は必要ではなく、残りのＹ，Ｍ，Ｃの３つの位置ずれ情報を格納することになる。
【００６４】位置ずれ補正部１２４は、位置ずれ補正情報格納部１２６とアドレス変換部１２８を備える。位置ずれ補正情報格納部１２６には、位置ずれ検出部１１６で検出された位置ずれ情報格納部１２２のＹ，Ｍ，Ｃのそれぞれの位置ずれ情報に基づいた位置ずれ補正情報が格納される。アドレス変換部１２８は、位置ずれ補正情報格納部１２６に格納された位置ずれ補正情報に基づき、画像メモリ８２−１〜８２−４に画素データを展開する際の位置ずれ補正のためのアドレス変換を行う。このアドレス変換部１２８の機能は、図５のコントローラ部６２にあっては、専用のアドレス変換部８６を設けることで実現している。
【００６５】アドレス変換部１２８による位置ずれ補正のためのアドレス変換は、Ｋ画像メモリ８２−４についての画素データの展開については不要であり、残りの
Ｙ，Ｍ，Ｃの画像メモリ８２−１〜８２−３のそれぞれに対し画素データを展開の際に位置ずれ補正のためのアドレス変換を行
位置ずれ情報の全てについて行うのではなく、位置ずれ情報の値が予め定めた閾値を越えた情報についてのみ行う。例えば６００ｂｐｉの画素ピッチは約４２μｍであることから、４２μｍ以上の位置ずれについて
【００６６】
更に位置ずれ補正部１２４は、位置ずれ補正が済んだＹ，Ｍ，Ｃ，Ｋの画像メモリ８２−１〜８２−４から画素データを読み出してＬＥＤ駆動部１３０により書込駆動する際に、データ転送経路の途中に設けている解像度変換部８８−１〜８８−４による解像度変換処理の制御も行
副走査方向ｙで１画素を分解して２つの高解像度画素データに変換し、各高解像度データの階調値を生成す
【００６７】このため図８の機能ブロックにあっては、解像度変換部８８−１〜８８−４を位置ずれ補正部１２４から切り離して設けているが、位置ずれ補正部１２４に含めてもよいことはもちろんである。ただ実際の装置構成上は、専用の解像度変換部としての回路モジュールを設けることが望ましい。図９は図８の機能を備えた本実施例における画像形成装置における印刷処理動作の全体的なフローチャートである。まず装置の電源を投入すると、ステップＳ１で、予め定めた初期化処理が行われ、この初期化処理の中にステップＳ２の位置ずれ検出処理がある。ステップＳ２の位置ずれ検出処理が済むと、ステップＳ３で上位のパーソナルコンピュータからの印刷要求の有無をチェックしいる。
【００６８】印刷要求があるとステップＳ４に進み、パーソナルコンピュータから転送されてくる画像データを画像メモリに展開する際に、ステップＳ４で位置ずれ補正処理を実行する。この位置ずれ補正処理には、図８のアドレス変換部１２８による位置ずれ補正と解像度変換部８８−１〜８８−４による解像度変換処理が含まれる。
【００６９】続いてステップＳ５でエンジン部６０側の印刷準備完了を待って、ステップＳ６でエンジン部６０による印刷処理を実行する。また処理中にステップＳ７で色ずれ調整処理の指示があるか否かチェックしており、もし色ずれ調整処理の指示があれば、ステップＳ２に戻って、電源投入時の立ち上げ時と同様な位置ずれ検出処理を再度行う。」
　
（２）「【００９２】このような位置ずれ検出情報が得られると、図８の位置ずれ補正部１２４において位置ずれ補正情報が作成され、
基本的にはアドレス変換部１２８における位置ずれ補正のためのアドレス変換による画像メモリへの書込みにより位置ずれが補正され、基準となる黒画像に位置合せされた印刷結果が得られ
　
（３）「【００９１】このようなレジストマークの転写に基づく位置ずれ検出により、図８の位置ずれ検出部１１６に設けた位置ずれ情報格納部１２２には、図２１のように、シアン用テーブル１２２Ｃ、マゼンタ用テーブル１２２Ｍ及びイエロー用テーブル１２２Ｙに分けて、それぞれの主走査方向位置ずれ量Δｘ、副走査方向位置ずれ量Δｙ、副走査方向偏位量（スキュー量）Δｚ及び主走査方向の線幅の倍率Ｋが、位置ずれ検出情報として格納される。
【００９２】このような位置ずれ検出情報が得られると、図８の位置ずれ補正部１２４において位置ずれ補正情報が作成され、基本的にはアドレス変換部１２８における位置ずれ補正のためのアドレス変換による画像メモリへの書込みにより位置ずれが補正され、基準となる黒画像に位置合せされた印刷結果が得られる。図２２は位置ずれ検出情報に基づく画素データの補正と印字の原理説明図である。
【００９３】図１０のレジストマークに基づく対象印字ライン１４０の位置ずれの検出結果は、図２２（Ａ）のような主走査方向ｘと副走査方向ｙにつき１画素ピッチで仕切られたビットマップメモリ空間１７４での位置ずれに変換される。図２２（Ａ）のビットマップメモリ空間１７４にあっては、まず理想印刷ライン１４８が決まっていることから、これに対する実際の転写による対象印刷ライン１４０を設定する。
【００９４】即ち、主走査方向位置ずれ量Δｘ、副走査方向位置ずれ量Δｙ及び副走査方向偏位量（スキュー量）Δｚを用いて、対象印刷ライン１４０をビットマップメモリ空間１７４に設定できる。この対象印刷ライン１４０を画素データに変換すると、図２２（Ｂ）のような位置ずれデータ１７６−１〜１７６−３が生成できる。
【００９５】この図２２（Ｂ）の位置ずれデータに対し、図２２（Ｃ）のような補正データ、即ち図２２（Ａ）の検出対象ライン１４０を理想印刷ライン１４８に対し線対称にマイナス側に反転し、且つ主走査方向のマイナス側（左側）に主走査方向位置ずれ量Δｘだけシフトした曲線を、ビットマップメモリ空間１７４で補正データ１７８−１〜１７８−３に変換したものである。
【００９６】この図２２（Ｃ）の補正データを読み出してＬＥＤアレイを発光駆動すると、図２２（Ｄ）のように、図２２（Ｂ）の位置ずれが補正されて図２２（Ａ）の理想印刷ライン１４８に対応する印字結果１８０を得ることができる。この図２２（Ａ）〜（Ｄ）の位置ずれデータ、補正データ及び印字結果の関係は、説明を簡単にするため、画像メモリの解像度とＬＥＤアレイの解像度を同一とした場合である。本実施例における位置ずれ補正にあっては、図２２（Ａ）〜（Ｄ）におけるビットマップ空間１７４は副走査方向ｙについて１画素を２画素に分解して解像度を高めており、副走査方向の解像度を高めることによって、図２２（Ｃ）のような
補正データで印字した場合の図２２（Ｄ）の印字結果１８０における副走査方向での画素の凹凸を滑らかにするスムージング
　
（４）「【０１０１】…（略）…。
４．位置ずれ補正図２５は図３の静電記録ユニットに設けた感光ドラム３２に対するＬＥＤアレイ３６の配置状態を説明する図である。ＬＥＤアレイ３６は、発光素子としてのＬＥＤチップ１８２−１，１８２−２，・・・１８２−ｎを感光ドラム３２の回転方向に直交する主走査方向に複数配列している。ＬＥＤチップ１８２−１〜１８２−ｎのピッチ間隔は、主走査方向の分解能を例えば６００ｄｐｉとすると、約４２μｍとなる。
【０１０２】図２６は図２５のＬＥＤアレイ３６に対するＬＥＤ駆動部１３０を示すブロック図である。ＬＥＤ駆動部１３０に対しては、図７の解像度変換部８８に設けているバッファメモリ９０で生成された高解像度画素データが供給される。バッファメモリ９０に対する高解像度画素データの変換処理は、図２７のようになる。図２７（Ａ）は画像メモリ８２のメモリ領域の一部であり、主走査方向ｘの１画素領域１９２ごとに画素データを展開しており、副走査方向ｙについても同じ１画素領域１９４となっている。例えば主走査方向ｘの解像度は６００ｄｐｉであり、副走査方向ｙについても解像度は同じく６００ｄｐｉとなっている。
【０１０３】このような画像メモリ８２の画素データについて、解像度変換部８８に設けているバッファメモリ９０は、図２７（Ｂ）のように高解像度画素データに変換する。バッファメモリ９０のメモリ空間は、主走査方向ｘについては図２７（Ａ）の画像メモリ８２と同じ１画素領域１９４に１つの画素データを格納した６００ｄｐｉとなっている。
【０１０４】これに対し副走査方向ｙについては、１画素領域１９４を第１スキャンデータ領域１９６と第２スキャンデータ領域１９８の２つに分け、図２７（Ａ）の画像メモリ８２から読み出した１つの画素データを２つに分解した高解像度画素データとして格納している。このためバッファメモリ９０における副走査方向ｙの解像度は、画像メモリ８２の６００ｄｐｉの整数倍、例えば２倍の１２００ｄｐｉに変換されている。また３倍の１８００ｄｐｉに変換してもよい。
【０１０５】再び図２６を参照するに、バッファメモリ９０は図２７（Ｂ）のような高解像度画素データが展開されており、その第１スキャンデータ領域１９６の主走査方向ｘの１ライン分の画素データと、第２スキャンデータ領域１９８の同じく主走査方向ｘの１ライン分の画素データを順次読み出して、ＬＥＤ駆動部１３０に第１スキャンデータ及び第２スキャンデータとして出力している。
【０１０６】ＬＥＤ駆動部１３０には第１レジスタ２２０、第２レジスタ２２２、セレクタ２２４、ＬＥＤ発光駆動回路２２６が設けられる。第１レジスタ２２０と第２レジスタ２２２には、図２５の感光ドラム３２の回転記録面における１／２画素ピッチの移動に同期して、バッファメモリ９０より１画素を副走査方向に分解して生成された第１スキャンデータと第２スキャンデータが順次格納される。
【０１０７】セレクタ２２４は第１レジスタ２２０と第２レジスタ２２２に第１スキャンデータ及び第２スキャンデータが格納された後の次のタイミングで、まず第１レジスタ２２０の出力を選択し、ＬＥＤ発光駆動回路２２６に出力してＬＥＤアレイ３６の第１スキャン目の発光駆動による書込みを行う。続いて感光ドラム３２の１／２画素ピッチの移動後のタイミングでセレクタ２２４は第２レジスタ２２２の出力を選択し、第２スキャンデータをＬＥＤ発光駆動回路２２６に出力して、ＬＥＤアレイ３６による第２スキャン目の発光駆動による書込みを行う。
【０１０８】図２８は図２６のＬＥＤ駆動部１３０による時分割による１画素書込みの説明図である。図２８（Ａ）は第１スキャン目の書込動作であり、ＬＥＤアレイ３６は第１スキャンデータの発光駆動による第１スキャン発光パターン２０６を発生し、感光ドラム３２上に第１スキャン印字領域２０２で示す潜像書込領域を形成する。
【０１０９】続いて図２８（Ｂ）のように、感光ドラム３２が１／２画素ピッチ移動したタイミングでＬＥＤ３６の第２スキャン目の発光駆動が行われ、第２スキャン発光パターン２０８が出される。この第２スキャン発光パターン２０８により、感光ドラム３２上の既に書込みが済んだ第１スキャン印字領域２０２に続いて第２スキャン印字領域２０４の潜像書込みが行われる。このようなＬＥＤアレイ３６の第１スキャンと第２スキャンの時分割による書込みで、感光ドラム３２上には１画素ピッチ幅の１画素印字領域２００が形成される。
【０１１０】本実施例における位置ずれ補正にあっては、図２７（Ｂ）のように、バッファメモリ９０に展開して高解像度画素データに変換する際に同時に位置ずれ補正を施す。図２９は高解像度画素データへの変換と同時に行う位置ずれ補正を説明する。この位置ずれ補正にあっては、変換後の高解像度画素データについての階調値の生成処理を伴う。
【０１１１】
図２９（Ａ）は印字データの階調値であり、主走査方向ｘについて１ドット目から２１ドット目を例にとっており、
【０１１２】この位置ずれ補正前の印字データを図２６のＬＥＤ駆動部１３０に出力して印字結果を得ると、図２９（Ｃ）のようになる。この印字結果は、右斜め上に向かう印字ずれを起こしていることが分かる。図２９（Ｃ）のような印字結果における位置ずれは、図８に示した位置ずれ検出部１１６によって検出され、図２１のような
主走査方向位置ずれ量Δｘ、副走査方向位置ずれ量Δｙ、副走査方向偏位量（スキュー量）Δｚ、更に主走査方向の線幅の倍率Ｋが得られ、これに基づき図２３の位置ずれ補正テーブルの補正値
【０１１３】
図２９（Ｄ）は、
位置ずれを補正した後の印字データ
位置ずれ補正後の印字データは、主走査方向ｘの領域２１６−１，２１６−２，２１６−３について、２つに分解された高解像度画素データが１画素領域１９４に収まっている。また主走査方向の領域２１８−１，２１８−２，２１８−３については、２つに分解された高解像度画素データは１画素領域１９４−１，１９４−２，１９４−３，１９４−４の境界に存在している
【０１１４】このため、
１画素領域１９４−１〜１９４−３に位置している領域２１６−１〜２１６−３の高解像度画素データにあっては、図２８（Ａ），（Ｂ）に示したように、図２９（Ａ）の階調値Ｄを使用して第１スキャン目と第２スキャン目の発光駆動を行えばよい
画素境界に位置する領域２１８−１〜２１８−３の高解像度画素データにあっては、先行する１画素領域の第２スキャン目と後続する画素領域の第１スキャン目の書込みとなり、図２９（Ａ）の階調値はそのまま使用できない
【０１１５】図３０における補正前の階調データ２１０につき、高解像度画素データが画素境界に存在しない領域２１６−１〜２１６−３については、右側の第１スキャン目階調データ２１２のように同じ階調値を格納する。これに対し高解像度画素データが画素境界に位置する領域２１８−１〜２１８−３については、第１スキャン目の階調データ２１２と第２スキャン目の階調データ２１４に分ける。
【０１１６】即ち、
補正前の階調データ２１０の階調値をＤ、補正後の第１スキャン目階調データ２１２の階調値をＤ１、第２スキャン目階調データ２１４の階調値をＤ２とすると、Ｄ＝Ｄ１＋Ｄ２となるように階調値を分ける
【０１１７】図３１は図３０の階調データの生成処理のフローチャートである。まずステップＳ１で主走査方向の１ドットの階調値を読み込み、ステップＳ２で副走査方向の境界画素を含むか否かチェックし、含まなければステップＳ３に進み、第１スキャン目階調データとして階調値をそのままセットする。一方、画素境界を含む場合にはステップＳ４に進み、階調値を第１スキャン目と第２スキャン目に分割してセットする。以上の処理をステップＳ５で全ラインの処理が終わるまで繰り返す。
【０１１８】図３２は図２９（Ｄ）の位置ずれ補正後の印字データと図３０で生成された第１スキャン目階調データ２１２及び第２スキャン目階調データ２１４を用いた図２６のＬＥＤ駆動部１３０によるＬＥＤアレイ３６の発光駆動のタイミングチャートである。
図３２（Ａ）は主走査方向１ドット目のＬＥＤチップ１８２−１の発光駆動のタイミングチャート
１画素発光周期をＴとすると、時刻ｔ１からＴ／２周期を過ぎた時刻ｔ２までが第１スキャン目の発光駆動となり、時刻ｔ２からＴ／２周期を経過した時刻ｔ３までが第２スキャン目の発光駆動となる
【０１１９】この場合、
１ドット目については図２９（Ｄ）のように副走査方向に分割された２つの高解像度画素データは１画素領域１９４−１に位置しているため、図３０のように生成された第１スキャン目と第２スキャン目階調値（Ｄ１，Ｄ２）は（１，０）であり、Ｄ１＝１に対応してＴ／２周期の発光期間に最大階調値８に対応して設定した８回のパルス発光タイミングの先頭の１パルスの発光を、第１スキャン目と第２スキャン目の時分割により２回繰り返す
【０１２０】図３２（Ｂ）は主走査方向ｘの２ドット目であり、図２９（Ｄ）のように２ドット目についても高解像度画素データは画素領域１９４−１に収まっていることから、第１スキャン目の階調値Ｄ１＝３に基づいて第１ドット目と同様、時刻ｔ１，ｔ２からの各タイミングで階調値Ｄ１＝３に対応した３回のパルス発光を２回繰り返す。
【０１２１】図３２（Ｃ）は主走査方向の３ドット目であり、図２９（Ｄ）のように３ドット目は１画素領域１９４−１と１画素領域１９４−２の
境界に副走査方向に分解した２つの高解像度画素データが位置しており、図３０のように第２スキャン目階調値Ｄ１＝３、第２スキャン目階調値Ｄ２＝２に分けられている。このため、時刻ｔ１からＴ／２周期過ぎた時刻ｔ２のタイミングで第１スキャン目階調値Ｄ＝３に対応した３パルスの発光を２回連続して繰り返す。続いてＴ／２周期を経過した時刻ｔ３のタイミングから第２スキャン目の階調値Ｄ２＝２に対応した２発光パルスによる発光駆動を２回繰り返す
【０１２２】主走査方向の４ドット目、５ドット目についても、３ドット目と同様、図２９（Ｄ）において画素境界に位置することから、３ドット目と同じタイミングで第１スキャン目階調値Ｄ１と第２スキャン目の階調値Ｄ２に対応した発光駆動を行う。図３２（Ｄ）は主走査方向の６ドット目であり、６ドット目も図３２（Ｃ）の３ドット目と同じ境界に位置していることから、同一タイミングで第１スキャン目階調値Ｄ＝４と第２スキャン目階調値Ｄ２＝３に対応した回数のパルス発光を行う。
【０１２３】図３２（Ｅ）の主走査方向の７ドット目については、図２９（Ｄ）のように次の１画素領域１９４−２に高解像度画素データが位置することから、第１スキャン目階調値Ｄ１＝５のみによる第１スキャン目と第２スキャン目に分けた発光駆動を時分割で行う。図３３は図２６のＬＥＤ駆動部１３０における図３２のタイミングによる発光駆動を行うためのフローチャートである。まずステップＳ１で、主走査ラインの１画素分の画素データ、即ち副走査方向に２つに分割された高解像度画素データを読み込み、ステップＳ２で画素境界に位置するか否かチェックする。画素境界に位置していなければステップＳ３に進み、第１レジスタ２２０と第２レジスタ２２２に第１スキャン目の階調値Ｄ１に対応した同じパルス発光回数をセットする。
【０１２４】一方、画素境界に位置していた場合にはステップＳ４に進み、第２レジスタ２２２に第１スキャン目の階調値Ｄ１に対応したパルス発光回数の２倍の回数をセットすると共に、第１レジスタ２２０に第２スキャン目の階調値に対応したパルス発光回数の２倍の回数をセットする。続いてステップＳ５に進み、副走査方向における１／２画素ピッチの移動に伴う同期パルスを受けると、ステップＳ６で第１レジスタ２２０をセレクタ２２４で選択してＬＥＤ発光駆動回路２２６によりＬＥＤアレイ３６を発光駆動し、第１スキャン目の書込みを行う。
【０１２５】続いてステップＳ７で、ステップＳ５と同様、副走査方向の１／２画素ピッチの移動に伴う同期パルスを受けると、ステップＳ８に進み、第２レジスタ２２２をセレクタ２２４で選択し、ＬＥＤ発光駆動回路２２６によりＬＥＤアレイ３６の第２スキャン目の発光駆動による書込みを行う。そしてステップＳ９で全ラインの書込終了を判別するまで、ステップＳ１からの処理を繰り返す。
【０１２６】実際の駆動回路にあっては、ステップＳ１〜Ｓ４の処理とステップＳ５〜Ｓ８の処理は、副走査方向の１／２画素ピッチ移動に伴う同期パルスにより並列的に処理されており、ステップＳ１〜Ｓ４のレジスタ書込みに対しステップＳ５〜Ｓ８のＬＥＤアレイの発光駆動は１画素ピッチ分のタイミング遅れをもつことになる。
【０１２７】ここで図５の実施形態にあっては、コントローラ部６２に設けている画像メモリ８２−１〜８２−４からエンジン部６０に画素データを読み出して転送する経路の途中に設けている解像度処理部８８のバッファメモリ９０−１〜９０−４において、高解像度画素データへの変換と位置ずれ補正、更に位置ずれ補正に伴う階調データの生成を行っているが、パーソナルコンピュータ９２からの画像データをＹ，Ｍ，Ｃ，Ａの画像メモリ８２−１〜８２−４に画素データとして展開する際に、高解像度データへの変換、位置ずれ補正及び階調データの生成を行うようにしてもよい。…（略）…。」
　
（５）上記（１）ないし（３）から、引用例には、
「記録紙を搬送させるための無端ベルトを回動自在に備える搬送ベルトユニットが装置本体内部に着脱自在に装着され、前記無端ベルトの従動ローラと駆動ローラとの間に規定されるベルト上側の記録紙移動経路に沿って、Ｙ，Ｍ，Ｃ，Ｋの４台の静電記録ユニットが上流から下流側に向かってＹ，Ｍ，Ｃ，Ｋの順番に直列に配置されて装置本体内部に設けられたタンデム構造を有し、該静電記録ユニットの各々は、感光ドラムと、前帯電器と、主走査方向に発光素子が配列されたＬＥＤアレイからなる光学書込ユニットとを備え、前記前帯電器により前記感光ドラムの回転表面を一様な電荷で帯電し、コンピュータやワードプロセッサ等から印刷情報として提供される画像データから展開した画素データ（ドットデータ）の階調値に基づいて前記発光素子が駆動されて、静電潜像をドットイメージとして書き込み、無端ベルトの上側の記録紙移動経路に沿って移動する記録紙上にイエロートナー像、マゼンタトナー像、シアントナー像及びブラックトナー像を順次重ねて転写記録し、フルカラーのトナー像を形成する画像形成装置において、
　４台の前記静電記録ユニット等の印刷機構部の制御動作を行うメカニカルコントローラが設けられたエンジン部と、コントロール用ＭＰＵが設けられたコントローラ部とで構成され、前記コントロール用ＭＰＵにはパーソナルコンピュータから転送されたＹ，Ｍ，Ｃ，Ｋの各画像データを画素データ（ドットデータ）に展開して格納する画像メモリと、解像度変換部と、前記画像メモリに各カラー画素データを展開する際にアドレス指定を行うためのアドレス指定部と、該アドレス指定部に続くアドレス変換部とが設けられ、前記解像度変換部にはＹ，Ｍ，Ｃ，Ｋに対応して４つのバッファメモリが設けられており、前記アドレス変換部は、前記エンジン部側から提供された、Ｋの主走査方向の走査線を基準とした対象画像の主走査方向の走査線の始端位置における主走査方向のずれ量Δｘ、同じく始端位置における副走査方向のずれ量Δｙ、走査線終端における傾きを示す副走査方向の変移量（スキュー量）Δｚ、及びＫ主方向走査線の基準幅Ｌに対する対象走査線の検出幅Ｌの倍率Ｋ（＝Ｌ／Ｌ０）である位置ずれ情報に基づき、該位置ずれ情報の全てについて行うのではなく、該位置ずれ情報の値が予め定めた閾値を越えた、例えば６００ｂｐｉの画素ピッチは約４２μｍであることから、４２μｍ以上の位置ずれ情報についてのみ、Ｙ，Ｍ，Ｃの画像メモリのそれぞれに対し画素データを展開する際に位置ずれ補正するためのアドレス変換を行い、基本的にはアドレス変換部における位置ずれ補正のためのアドレス変換による画像メモリへの書込みにより位置ずれが補正され、基準となる黒画像に位置合せされた印刷結果が得られようになるが、この位置ずれ補正データで印字した場合は副走査方向での画素の凹凸を伴う印字結果となるので、更に、位置ずれ補正が済んだＹ，Ｍ，Ｃ，Ｋの画像メモリから画素データを読み出してＬＥＤ駆動部により書込駆動する際に、データ転送経路の途中に設けている前記解像度変換部による解像度変換処理を行って、副走査方向ｙで１画素を分解して２つの高解像度画素データに変換し、各高解像度データの階調値を生成して、例えば主走査方向ｘが６００ｄｐｉ、副走査方向ｙが同じく６００ｄｐｉであった画素データは、副走査方向ｙについては２倍の１２００ｄｐｉの高解像度に変換され、前記解像度変換部のバッファメモリから１画素を分解した２つの高解像度画素データを読み出して第１スキャンライン目と第２スキャンライン目の時分割発光による書込記録を行って、副走査方向で２倍となる高解像度画素データへの変換により、前記エンジン部で走査線が斜めとなったときの位置ずれ補正における副走査方向での画素の凹凸を滑らかにするスムージングをして印字精度を高めることができる画像形成装置。」の発明（以下「引用発明」という。）が記載されているものと認められる。
　
（６）上記（４）、図２９、図３０及び図３２から、引用例には、副走査方向で２倍となる高解像度画素データへの変換により、エンジン部で走査線が斜めとなったときの位置ずれ補正における副走査方向での画素の凹凸を滑らかにするスムージングの手法に関して、次の技術事項が把握される。
　ア　主走査方向位置ずれ量Δｘ、副走査方向位置ずれ量Δｙ、副走査方向偏位量（スキュー量）Δｚ及び主走査方向の線幅の倍率Ｋからなる位置ずれ補正テーブルの補正値による位置ずれ補正後の印字データ（図２９（Ｄ）参照。）について、
（ア）主走査方向ｘの領域２１６−１（１ドット目及び２ドット目），２１６−２（７ドット目ないし１０ドット目），２１６−３（１５ドット目ないし１８ドット目）について、２つに分解された高解像度画素データでが１画素領域１９４（１ライン目ないし３ライン目のいずれか）に収まっていること。
（イ）主走査方向の領域２１８−１（３ドット目ないし６ドット目），２１８−２（１１ドット目ないし１４ドット目），２１８−３（１９ドット目ないし２１ドット目）については、２つに分解された高解像度画素データは１画素領域１９４−１（１ライン目），１９４−２（２ライン目），１９４−３（３ライン目），１９４−４（４ライン目）の境界に存在していること。
　イ　上記ア（ア）の１画素領域１９４−１（１ライン目）〜１９４−３（３ライン目）のいずれかに位置している領域２１６−１〜２１６−３（１ドット目、２ドット目、７ドット目ないし１０ドット目、１５ドット目ないし１８ドット目）の高解像度画素データのように、位置ずれ補正後の印字データの２つの高解像度画素データが第１スキャン及び第２スキャンからなる１ライン内に収まっている場合にあっては、印字データの階調値Ｄを使用しての発光駆動を、１画素発光周期をＴとすると、時刻ｔ１からＴ／２周期を過ぎた時刻ｔ２までの第１スキャン目と時刻ｔ２からＴ／２周期を経過した時刻ｔ３までの第２スキャン目とで２回繰り返し行えばよい（図３２参照。）こと。
　ウ　上記ア（イ）の画素境界に位置する領域２１８−１〜２１８−３（３ドット目ないし６ドット目、１１ドット目ないし１４ドット目、１９ドット目ないし２１ドット目）の高解像度画素データのように先行する１ラインの第２スキャンと後続する１ラインの第１スキャンの境界を位置ずれ補正後の印字データの２つの高解像度画素データが跨いでいる場合にあっては、先行する１画素領域の第２スキャン目と後続する画素領域の第１スキャン目の書込みとなり、補正前の印字データの階調データ２１０の階調値Ｄ（３ドット目ではＤ＝５、５ドット目ではＤ＝８）はそのまま使用できず、補正後の第１スキャン目の階調データ２１２の階調値をＤ１、第２スキャン目の階調データ２１４の階調値をＤ２とすると、Ｄ＝Ｄ１＋Ｄ２となるように、例えば、３ドット目はＤ１＝３、Ｄ２＝２、５ドット目はＤ１＝４、Ｄ２＝４というように、つまり階調値Ｄが奇数である場合にはＤ１＝Ｄ２＋１、偶数の場合にはＤ１＝Ｄ２となるように、階調値Ｄを分け（図３０参照。）、先行する１ラインの第２スキャン目で階調値Ｄ１（３ドット目ではＤ１＝３、５ドット目ではＤ１＝４）に対応した数の発光パルスによる発光駆動を２回繰り返し、続いて後続する１ラインにおける第１スキャン目の階調値Ｄ２（３ドット目ではＤ２＝２、５ドット目ではＤ２＝４）に対応した数の発光パルスによる発光駆動を２回繰り返せばよいこと。
　エ　上記イにおいては、階調値Ｄを使用しての発光駆動を１ラインの第１及び第２スキャンで１回ずつ計２回繰り返すのに対して、上記ウにおいて階調値Ｄが偶数の場合では、階調値Ｄを半分にして使用しての発光駆動を先行する１ラインの第２スキャン目で２回繰り返し、続いて後続する１ラインにおける第１スキャン目でも２回繰り返しているが、これは、階調値Ｄを使用しての発光駆動を１回ずつ計２回繰り返していることにほかならないから、階調値Ｄが偶数の場合には、位置ずれ補正後の印字データの２つの高解像度画素データが第１スキャン及び第２スキャンからなる１ライン内に収まっているか、先行する１ラインの第２スキャンと後続する１ラインの第１スキャンの境界を跨いでいるかにかかわりなく、位置ずれ補正後の印字データの２つの高解像度画素データが分配される２つのスキャンで階調値Ｄを使用しての発光駆動を１回ずつ計２回繰り返せばよいこと。
　オ　上記エのとおり、階調値Ｄが偶数の場合には、上記ウにおいて上記イと同じ発光駆動を行っているのにかかわらず、上記ウのような複雑な分配を行い、補正前の印字データの階調データの階調値をＤはそのまま使用できないとしているのは、８階調の階調画像データを有する１画素を２スキャンで書き込み副走査方向で解像度を２倍とする高解像度画素データへの解像度変換及びその解像度変換と同時に行う位置ずれ補正を行う結果、変換及び補正の前のラインに後続するライン（の第１スキャン）に分配される階調値Ｄ２を、変換及び補正の前のライン（の第２スキャン）に分配される階調値Ｄ１に比較して、全体として小さくなるようにし、変換及び補正の前のラインの階調値のウエイトが少し大きくなるようにするためであると解されること。
　
３　対比
　本願発明と引用発明とを対比する。
（１）引用発明の「『前記無端ベルトの従動ローラと駆動ローラとの間に規定されるベルト上側の記録紙移動経路に沿って』、『上流から下流側に向かってＹ，Ｍ，Ｃ，Ｋの順番に直列に配置されて装置本体内部に設けられ』た『Ｙ，Ｍ，Ｃ，Ｋの４台の静電記録ユニット』に『備え』られた『主走査方向に発光素子が配列されたＬＥＤアレイからなる光学書込ユニット』」、「記録紙」、「トナー像を形成」、「画像形成装置」、「無端ベルトの上側の記録紙移動経路に沿って移動する記録紙上にイエロートナー像、マゼンタトナー像、シアントナー像及びブラックトナー像を順次重ねて転写記録し、フルカラーのトナー像を形成する画像形成装置」、「『パーソナルコンピュータから転送されたＹ，Ｍ，Ｃ，Ｋの各画像データ』を『展開』した『画素データ（ドットデータ）』」、「格納する」、「画像メモリ」、「『エンジン部側から提供』された、『Ｋの主走査方向の走査線を基準』とした『対象画像の主走査方向』の『走査線終端における傾きを示す副走査方向の変移量（スキュー量）Δｚ』である『位置ずれ情報』」、「６００ｂｐｉの画素ピッチは約４２μｍであることから、４２μｍ以上の位置ずれ情報についてのみ」、「Ｙ，Ｍ，Ｃの画像メモリのそれぞれに対し画素データを展開する際に位置ずれ補正のためのアドレス変換を行い」、「アドレス変換部」、「『位置ずれ補正が済んだＹ，Ｍ，Ｃ，Ｋの画像メモリ』から『読み出』した『画素データ』」、「『副走査方向で２倍となる高解像度画素データへの変換』により、『解像度変換部のバッファメモリから１画素を分解した２つの高解像度画素データを読み出して第１スキャンライン目と第２スキャンライン目の時分割発光による書込記録を行って』」、「エンジン部で走査線が斜めとなったときの位置ずれ補正における副走査方向での画素の凹凸を滑らかにするスムージングをして」及び「解像度変換部」は、それぞれ、本願発明の「１列に配置された複数のプリントヘッド」、「用紙」、「印字」、「印字装置」、「１つの用紙上に重ねて印字を行なう印字装置」、「画像データ」、「格納する」、「ビットマップメモリ」、「プリントヘッドの間の相対的な傾き量」、「ライン単位で」、「画像データをビットマップ上で処理する」、「第１補正手段」、「第１補正手段により補正がされた画像データ」、「前記プリントヘッドの出力タイミングを制御することにより」、「１ラインより小さい単位で副走査方向に補正する」及び「第２補正手段」に相当する。
（２）引用発明において、「『コンピュータやワードプロセッサ等から印刷情報として提供される画像データから展開した画素データ（ドットデータ）の階調値』に基づいて駆動されて『静電潜像をドットイメージとして書き込』む『発光素子』」は、「ＬＥＤアレイからなる光学書込ユニット」に「配列され」ているから、上記（１）に照らせば、引用発明の「印字（トナー像を形成）」は「１列に配置された複数のプリントヘッド（光学書込ユニット）」を用いて行われることが明らかである。したがって、引用発明の「印字装置」と本願発明の「印字装置」とは、「１列に配置された複数のプリントヘッドを用いて１つの用紙上に重ねて印字を行なう」点で一致する。
（３）引用発明の「第１補正手段（アドレス変換部）」は、「プリントヘッドの間の相対的な傾き量（副走査方向の変移量（スキュー量）Δｚである位置ずれ情報）」に基づき、「画像データをビットマップ上で処理する（アドレス変換）」ことにより「ライン単位で（４２μｍ以上の位置ずれ情報についてのみ）」位置ずれ補正しているから、引用発明の「第１補正手段」と本願発明の「第１補正手段」とは「プリントヘッドの間の相対的な傾き量に基づいて、画像データをビットマップ上で処理することによりライン単位で副走査方向に補正する」点で一致する。
（４）上記（１）ないし（３）からみて、本願発明と引用発明とは、
「１列に配置された複数のプリントヘッドを用いて１つの用紙上に重ねて印字を行なう印字装置において、
　画像データを格納するビットマップメモリと、
　プリントヘッドの間の相対的な傾き量に基づいて、画像データをビットマップ上で処理することによりライン単位で副走査方向に補正する第１補正手段と、
　第１補正手段により補正がされた画像データを、前記プリントヘッドの出力タイミングを制御することにより、１ラインより小さい単位で副走査方向に補正する第２補正手段とを備えた印字装置。」である点で一致し、
　
「前記第２補正手段が、本願発明では『前記ビットマップメモリから読み出された画像データを１ライン単位で遅延させるラインバッファと、前記プリントヘッドへ出力するべく、前記ビットマップメモリから読み出された画像データと前記ラインバッファの画像データとを選択的に切り換えるセレクタと、プリントヘッドの間の相対的な傾きについての補正情報に基づいて前記セレクタを作動させる制御部とを備え』ているのに対して、引用発明ではそうなっていない」点（以下「相違点」という。）で相違する。
　
４　判断
　上記相違点について検討する。
（１）上記２（６）からみて、引用例には、引用発明の「第２補正手段（解像度変換部）」が行う「１ラインより小さい単位での副走査方向の補正（エンジン部で走査線が斜めとなったときの位置ずれ補正における副走査方向での画素の凹凸を滑らかにするスムージング）」の手法に関して、解像度変換及び位置ずれ補正の前のラインに後続するラインの第１スキャンに分配される階調値Ｄ２を、変換及び補正の前のラインの第２スキャンに分配される階調値Ｄ１に比較して、全体として小さくなるような、８階調の階調画像データを有する１画素を２スキャンで書き込んで副走査方向で解像度を２倍とする高解像度画素データへの解像度変換及びその解像度変換と同時に行う位置ずれ補正を行う手法が記載されているところ、２値画像のように階調が無い画像の場合には、スキャン毎の１つの書き込みで表現できる濃度の情報としては、０及び１のいずれかの高解像度画素データしかないから、解像度変換及び位置ずれ補正の前と同じラインに分配される０又は１の高解像度画素データと、その元のラインに後続するラインに分配される０又は１の高解像度画素データとの間での０又は１の高解像度画素データの分配について、上記２（６）オのようにウエイトを考える必要がないことが当業者に自明である。
（２）してみると、２値画像のように階調が無い画像の場合には、上記２（６）オのようにする必要がないのであるから、位置ずれ補正後の印字データの２つの高解像度画素データが第１スキャン及び第２スキャンからなる１ライン内に収まっているか、先行する１ラインの第２スキャンと後続する１ラインの第１スキャンの境界を跨いでいるかにかかわりなく、位置ずれ補正後の印字データの２つの高解像度画素データが分配される２つのスキャンで補正前の印字データの０又は１の画素データを使用しての発光駆動を１回ずつ計２回繰り返せばよいことになる。
（３）したがって、引用発明の「第２補正手段」が行う「１ラインより小さい単位での副走査方向の補正」は、２値画像を対象とする印字装置にあっては、位置ずれ補正が済んだＹ，Ｍ，Ｃ，Ｋの画像メモリから画素データを読み出してＬＥＤ駆動部により書込駆動する際に、データ転送経路の途中に設けている解像度変換部による解像度変換処理と同時に位置ずれ補正を行って、副走査方向ｙで１画素を分解して、分解前の画素データと同じ内容（０又は１）の２つの高解像度画素データに変換し、変換された２つの高解像度画素データを、１ラインより小さい単位（４２μｍ以下）の位置ずれ情報に基づいて、変換及び補正前の画素データが収まっていた元のラインの第１及び第２スキャン、あるいは元のラインの第２スキャン及び元のラインに続くラインの第１スキャンに分配し、第１スキャンライン目と第２スキャンライン目の時分割発光による書込記録を行って、副走査方向で２倍となる高解像度画素データへの変換及び１ラインより小さい単位（４２μｍ以下）の補正により、エンジン部で走査線が斜めとなったときの位置ずれ補正における副走査方向での画素の凹凸を滑らかにするスムージングを行うことは、当業者が引用例に記載された技術事項に基づいて容易に想到することができたことである。
（４）他方、入力画像データを１ライン等の単位で遅延させるラインバッファと、前記入力画像データと前記ラインバッファの画像データとを選択的に切り換えるセレクタとを備え、前記セレクタを作動させる制御情報に応じて画像データを切り換えて出力する手段は、本願出願前に周知である（例．当審拒絶理由で引用した特開平６−７９９１７号公報（【００７７】〜【００８１】、図７参照。「外部から入力される走査線毎のラインデータ３４−０」、「ラインメモリ３２」、「変動分のデータΔＬｃ」及び「セレクタ３３の出力」が、それぞれ、「入力画像データ」、「１ライン等の単位で遅延させるラインバッファ」、「制御情報」及び「出力」に相当する。）、当審拒絶理由で引用した特開昭５８−１８６２５４号公報（２頁左上欄１２行〜同頁右下欄３行及び第３図参照。「第１の２値化回路１２で２値化された画信号」、「第１のシフトレジスタ」、「切り換え接点が選択される電子スイッチ１７」及び「演算回路１４の一方の入力端子への供給」が、それぞれ、「入力画像データ」、「１ライン等の単位で遅延させるラインバッファ」、「選択的に切り換えるセレクタ」及び「出力」に相当する。）、当審拒絶理由で引用した特開平５−１１４９９４号公報（【００４１】〜【００５０】、図５参照。「黒バッファ１００３からの画像データ」、「遅延メモリ１００５」、「第２セレクタ１００６ｂ」及び「第２セレクタ１００６ｂの出力」が、それぞれ、「入力画像データ」、「１ライン等の単位で遅延させるラインバッファ」、「選択的に切り換えるセレクタ」及び「出力」に相当する。）。以下「周知技術」という。）。
（５）上記（３）及び（４）からみて、
　引用発明において、
　「第２補正手段」に、　画像メモリから読み出した画素データを１ライン単位で遅延させるラインバッファと、画像メモリから読み出した画素データと前記ラインバッファの画像データとを選択的に切り換えるセレクタとを備え、
　位置ずれ補正が済んだＹ，Ｍ，Ｃ，Ｋの画像メモリから画素データを読み出してＬＥＤ駆動部により書込駆動する際に、
　データ転送経路の途中に設けている解像度変換部による解像度変換処理を行い、副走査方向ｙで１画素を分解して、分解前の画素データと同じ内容（０又は１）の２つの高解像度画素データに変換すると同時に、
　エンジン部で走査線が斜めとなったときのライン単位で副走査方向の４２μｍ以上の位置ずれ補正における副走査方向での画素の凹凸を更に位置補正するために、
　時分割発光による書込記録を行う対象が第１スキャンの時、１ラインより小さい単位（４２μｍ以下）の位置ずれ情報に基づいて、該第１スキャンの高解像度画素データとして、前記ラインバッファで１ライン遅延させた先行するライン画素データを分解した高解像度画素データ（参考図１の（ｂ）の▲、（ｅ）の●を参照。）、及び、画像メモリから読み出した現在のラインの画素データを分解した高解像度画素データ（参考図の（ａ）及び（ｃ）の▲、（ｄ）の●、（ｆ）の■を参照。）のいずれか一方のデータ（０又は１）を前記セレクタを切り換えて選択し、
＜参考図＞
−−−−−−−−−−−−−−−−−−−−−−−−−−−−−
（ａ）▲
（ｃ）▲
第１スキャン
　　　▲　　　　　▲　　　　ライン　　　▲（第２スキャン）
−−−−−−−−−−−−−−−−−−−−−−−−−−−−−
第２　　　　
（ｂ）▲
（ｄ）●
第１スキャン
　ライン　　　　　●（第２スキャン）●　　　　　　
−−−−−−−−−−−−−−−−−−−−−−−−−−−−−
　　　第３　
（ｅ）●
（ｆ）■
第１スキャン
　　　　ライン　　　　　　　　　■　　　（第２スキャン）
−−−−−−−−−−−−−−−−−−−−−−−−−−−−−
　高解像度画素データを、
　変換及び補正前の画素データが収まっていた元のラインの第１及び第２スキャンに収まるように（参考図の（ａ）、（ｃ）、（ｄ）及び（ｆ）参照。）、
　又は、元のラインの第２スキャン及び元のラインに続くラインの第１スキャンに跨るように（参考図の（ｂ）及び（ｅ）参照。）、
　分配する１ラインより小さい単位（４２μｍ以下）の補正を行い、
　上記相違点に係る本願発明の構成となすことは、当業者が引用例に記載された技術事項及び周知技術に基づいて容易になし得た程度のことである。
（６）また、本願発明の奏する効果は、引用発明の奏する効果、引用例に記載された技術事項の奏する効果及び周知技術が奏する効果から当業者が予測することができた程度のものである。
（７）まとめ
　以上の検討によれば、本願発明は、当業者が、引用例に記載された発明、引用例に記載された技術事項及び周知技術に基いて容易に発明をすることができたものである。
　
５　むすび
　以上のとおり、本願発明は、当業者が引用例に記載された発明、引用例に記載された技術事項及び周知技術に基いて容易に発明をすることができたものであるから、特許法第２９条第２項の規定により特許を受けることができない。
　よって、結論のとおり審決する。